(57)【要約】      （修正有）【課題】歩行障害のある患者、特に、自力で身体の支持が困難な患者が歩行訓練機で歩行訓練をするにあたり、患者の転倒を防止し、かつ、介助者の負担を軽減するために、患者の身体を支持する装置であり、また、個人的あるいは家庭的に、いつでも簡単に利用し、かつ、安価に購入できる簡単な構成を有する装置を提供する。【解決手段】歩行障害のある患者が歩行訓練機又はステップ台を利用して歩行訓練をするために、軽量金属のアングル材の支柱で三角形の枠組を２組形成し、かつ、これらの枠組をアングル材の連結柱で平行に連結した構造体であって、安全ベルトを掛けるハンガーをロープで吊り上げ、かつ、滑車を通して、安全ベルトの位置を調節する巻取機からなる吊上装置を備置した、簡易の身体支持装置、という構成からなっている。【選択図】図１
0003169175.tif 000002
【実用新案登録請求の範囲】
【請求項１】
歩行障害のある患者が歩行訓練機又はステップ台を利用して歩行訓練をするために、軽量金属のアングル材の支柱で三角形の枠組を２組形成し、かつ、これらの枠組をアングル材の連結柱で平行に連結した構造体であって、この構造体から安全ベルトを掛けるハンガーをロープで吊り上げ、かつ、滑車を通して、安全ベルトの位置を調節する巻取機からなる吊上装置を備置した、吊上式の簡易身体支持装置。
【請求項２】
歩行障害のある患者が歩行訓練をするために、三角形の枠組をアングル材の連結柱で平行に連結した構造体の内側の底部に配置した、回転又は移動する歩行床と手すりを有する歩行訓練機、または、昇降階段となるステップ台を特徴とする請求項１の吊上式の簡易身体支持装置。
【請求項３】
歩行障害のある患者が起立した姿勢を矯正し、かつ、歩行訓練を補助するために、三角形の枠組をアングル材の連結柱で平行に連結した構造体の上部に紐又は金属材で吊り下げた鉄棒を配置したぶら下がり棒を特徴とする請求項１の吊上式の簡易身体支持装置。
【考案の詳細な説明】
【技術分野】
【０００１】  この考案は、歩行障害のある患者の身体を支持し、歩行訓練機で歩行訓練をするための、吊上式の簡易な支持装置に関するものである。
【背景技術】
【０００２】  加齢による脚力の退化、また、事故（交通事故等）及び病気（脳障害等）に起因する歩行障害のある患者に対して、歩行機能の改善（向上・回復・維持）を図り、社会復帰をするために、リハビリテーション（以下、リハビリ）を施す必要がある。【０００３】  歩行障害のある患者は、一般に、回転又は移動する歩行床を歩行する歩行訓練機によるリハビリを受ける。これは、医療者（看護師・医療療法士等）の介助（付添）が必要となり、従って、介助者の負担の軽減が課題となる。【０００４】  歩行訓練機の上を歩行する患者の身体を支持・補助するために、いろいろな装置が考えられている。従来、平行に渡した２本の手すりを患者が掴まって歩行する平行棒の装置、または、訓練者が手の肘を置いて起立した姿勢で歩行する装置が利用されていた。【０００５】  これらの支持装置は、自力で身体を支持できる軽度の患者に対しては効果的である。これに対し、自力で身体を支持できない重度の患者に対しては、訓練者の転倒等の危険を防止するために、介護者の存在を未だに不可欠とする。【０００６】  最近、患者の身体をベルト等で固定し、かつ、天井又は高所から、ロープで吊り上げて、患者の姿勢を調節する支持装置が登場した。これは、患者が転倒の心配もなく、歩行できるので、歩行訓練に効果的であり、かつ、介助者の負担を軽減する。【０００７】  ところが、これは、リハビリ施設（医療機関等）で利用されるので、大型でかつ精密な医療機器となる。そうすると、個人的又家庭的に利用をするためには、高価であるので、金銭的に負担となり、また、大型であるので、余分な場所をとる。
【考案の開示】
【考案が解決しようとする課題】
【０００８】  この考案が解決しようする問題点は、次の通りである。【０００９】  先ず、歩行障害のある患者には、自力で身体を支持できる軽度の患者からこれを困難とする重度の患者までいるので、いかなる態様の患者にも対応して、歩行訓練のリハビリを施す必要がある。【００１０】  次に、歩行障害のある患者に歩行訓練を施すための歩行訓練機、また、この歩行訓練に伴って、患者の転倒を防止し、かつ、介助者の負担を軽減するために、患者の身体を支持する装置を必要とする。【００１１】  最後に、患者は、リハビリ施設だけではなく、個人的又は家庭的に、かつ、いつでも簡単に利用し、また、これを安価に購入するためには、簡単な構成を有する身体の支持装置をもって、歩行訓練機を用いる必要がある。
【課題を解決するための手段】
【００１２】  この考案が解決する手段は、次の通りである。【００１３】  先ず、この装置は、歩行障害のある患者が歩行訓練機（１８）又はステップ台を利用して歩行訓練をするために、患者の身体を安全ベルト（２１）で固定し、かつ、安全ベルト（２１）を吊り上げる身体支持装置である。【００１４】  次に、この装置は、安全ベルト（２１）を吊り上げるために、軽量金属のアングル材の支柱（８）をもって、三角形の枠組（７）を２組形成し、かつ、これらの枠組みをアングル材の連結柱（９）をもって平行に連結した構造体（１）である。【００１５】  また、安全ベルト（２１）を掛けるハンガー（１４）をロープ（１６）で吊り上げ、かつ、滑車（１５）を通して、安全ベルト（２１）の位置を上下に調節する巻取機（１７）からなる吊上装置（１３）を構造体（１）に備置する。【００１６】  最後に、歩行障害のある患者が歩行訓練するために、回転又は移動する歩行床（１９）と手すり（２０）を設置した歩行訓練機（１８）又は階段として昇降できるステップ台をこの構造体（１）の内側の底部（６）に配置する。【００１７】  この装置をぶら下がり棒として利用し、歩行障害のある患者の起立した姿勢を矯正し、かつ、歩行訓練を補助するために、構造体（１）の内側に紐又は金属材をもって鉄棒を横に配置することもできる。
【考案の効果】
【００１８】  この考案の効果は、次の通りである。【００１９】  先ず、この装置は、軽度から重度まで、いかなる態様の歩行障害のある患者に対しても、歩行訓練のリハビリを施すことによって、歩行障害の改善を通して、患者の社会復帰を図ることができる。【００２０】  次に、この装置は、歩行障害のある患者の身体を安全バンド（２１）で固定して吊り上げる吊上装置（１３）によって、患者の身体の転倒を防止し、患者を歩行訓練に集中できるので、歩行訓練の成果を高めることになる。【００２１】  更に、この装置は、リハビリ施設から家庭まで、どこでも、かつ、いつでも、容易に利用することができるし、また、構造が簡単であるので、制作費が安価となり、誰でも利用することができる。【００２２】  最後に、この装置の構造体（１）は、三角形の形状を有する枠組（７）を２組並行して連結したものであるので、強度があり、かつ、安定した構造となっており、また、この構造から生ずるピラミッドパワーも享受することができる。
【最良の実施例】
【００２３】  この考案の最良の実施例は、次の通りである。
【００２４】  先ず、この考案は、歩行障害のある患者に対して歩行訓練を施すために、軽量金属のアングル材の支柱（８）を接合して、三角形の枠組（７）を２組形成し、かつ、これらをアングル材の連結柱（９）で平行に連結した構造体（１）とする身体支持装置である。
【００２５】  次に、この考案は、患者の身体を固定するために、安全ベルト（２１）を掛けるハンガー（１４）をロープ（１６）で吊り上げ、かつ、滑車（１５）を通して、安全ベルト（２１）の位置を調節するために、ロープ（１６）を操作する巻取機（１７）からなる吊上装置（１３）を構造体（１）に備置したものである。
【００２６】  最後に、この考案は、患者が回転又は移動する歩行床（１９）を歩行する歩行訓練機（１８）、または、患者が昇降するステップ台を構造体（１）の内側の底部（６）に配置したものである。
【実施例】
【００２７】  この考案の実施例は、次の通りである。【００２８】  この考案は、歩行障害のある患者に対し歩行訓練のリハビリを施すために、患者の身体を固定して安定化させ、かつ、患者の身体を吊り上げて足の動作を自由にする身体支持装置である。【００２９】  第一に、この装置は、構造体（１）と吊上装置（１３）からなる。構造体（１）は、三角形の枠組（７）とこれを連結する連結柱（９）である。吊上装置（１３）は、ハンガー（１４）、ロープ（１６）、滑車（１５）、巻取器（１７）である。【００３０】  先ず、構造体（１）は、軽量金属のアングル材の支柱（８）を接合して、三角形の枠組（７）を２組形成し、また、これらの枠組（７）をアングル材の連結柱（９）をもつて平行に連結して組み立てた装置である。これらは、ボルトとナットをもってアングル材を接合する。【００３１】  この構造体（１）は、歩行障害のある患者の身体を支持して、歩行訓練機（１８）又はステップ台を内側の底部（６）に配置して歩行訓練をするために、一定の横幅及び奥行と高さを有する規模である。【００３２】  三角形の枠組（７）は、前面（２）・裏面（３）・底部（６）のそれぞれの支柱（８）を接合して組立て、かつ、中柱（９）を脇に通したものである。これらの支柱（８）は、歩行訓練機（１８）又はステップ台の配置との関係によって、その長さを決定される。【００３３】  連結柱（９）は、三角形の枠組（７）２組を平行に連結するものであって、頭部（４）１本、中部（５）の前面（２）１本、底部（６）２本からなる。中部（５）の左右いずれかの脇の中柱（１０）の上に短い中柱（１１）を通し、また、これらの間に２本の短い縦柱（１２）を立てる。【００３４】  構造体（１）の支柱（８）の底部の四隅に渡りキャスターとストッパーを設置し、また、キャスターの操作によって、適当な場所に移動し、かつ、ストッパーの操作によって、その場所に配置するものとしてもよい。【００３５】  次に、吊上装置（１３）は、安全ベルト（２１）を掛けるハンガー（１４）、これを吊り上げるロープ（１６）、また、安全ベルト（２１）の位置を調節するために、滑車（１５）を通して、ロープ（１６）を操作する巻取機（１７）を構造体（１）に備置する。【００３６】  安全ベルト（２１）は、患者の身体の肩から胸を経て腰に至るまで固定し、上半身全体を安定させる装置である。これは、革製あるいは布製の腰ベルト（２２）をもって、患者の体型に応じて調節する。【００３７】  ハンガー（１４）は、安全ベルト（２１）を掛ける装置である。これは、ロープ（１６）の先端に設置され、かつ、ロープ（１６）で吊り上げられているので、ロープ（１６）の上下動に伴って、患者の身体の位置を調節することになる。【００３８】  巻取機（１７）は、患者の身長に合わせて、安全ベルト（２１）を掛けたハンガー（１４）の位置を調節するための装置である。これは、手動によって、ロープ（１６）を巻き込み、安全ベルト（２１）を上昇させ、あるいは、ロープ（１６）を緩め、安全ベルト（２１）を下降させる。【００４０】  滑車（１５）は、構造体（１）の頭部（４）の連結柱（９）の中央に１個設置し、また、前面（２）の支柱（８）の上方に１個設置する。こ���は、ハンガ−（１４）と巻取機（１７）をつないだロープ（１６）を巻き上げ、あるいは、これを緩める動作を円滑に行うための装置である。【００４１】  更に、構造体（１）の内側の底部（６）には、患者が歩行床（１９）を歩行するための歩行訓練機（１８）を配置し、または、患者が昇り降りするためのステップ台を配置する。これらの装置は、構造体（１）の前面に向けて配置する。【００４２】  歩行訓練機（１８）は、患者が歩行すると、歩行床（１９）が回転あるいは移動する、足踏み型の装置でも、または、電動モ−タの駆動によって、歩行床（１９）が回転あるいは移動する、ル−ムランニングマシーン型の装置でもよい。【００４３】  ステップ台は、患者が日常生活で階段を昇り降するために、一段の階段を昇り降りの練習をする台である。これは、階段の一段くらいの高さであり、また、歩行訓練機（１８）と同様の規模である。【００４４】  最後に、歩行障害のある患者の立ち姿勢を矯正し、かつ、歩行訓練を補助するために、構造体（１）の上部から紐又は金属材をもって鉄棒を配置し、これによって、患者がぶら下り棒として利用できるようにする。【００４５】  第二に、歩行障害のある患者が吊上式の支持装置を利用して歩行訓練をする仕方又は手順である。構造体（１）の内側の底部（６）に、歩行訓練機（１８）又はステップ台を裏面（３）から入れて、前面（２）に向けて配置する。【００４６】  先ず、患者又は介助者は、安全ベルト（２１）をハンガー（１４）に掛けて固定し、かつ、巻取機（１７）を操作して、患者の身長に合わせて、安全ベルト（２１）の位置を上下に調節し、また、安全ベルト（２１）を患者の身体に装着して腰ベルト（２２）を締める。【００４７】  次に、患者は、支持装置の助けを受けて、歩行訓練機（１８）の歩行床（１９）に立ち、かつ、歩行訓練機（１８）の手すり（２０）に掴り、足を自由に動かして歩行訓練をし、または、ステップ台を階段として、交互に足を昇降させて歩行訓練をする。【００４８】  歩行訓練機（１８）に手すりが付いていないとき、または、ステップ台を用いるとき、構造体（１）の中部（５）の連結柱（９）及び両脇の中柱（１０）を手すりとして掴るとよい。
【図面の簡単な説明】
【００４９】
【図１】  本考案の身体支持装置を右側面から見た斜視図である。
【図２】  本考案の身体支持装置の巻取機を立てた図である。
【図３】  本件考案の身体支持装置に配置した歩行訓練機の図である。
【図４】  本件考案の身体支持装置に掛ける安全ベルトの図である。
【符号の説明】
【００５０】  １    構造体
２    前面
３    裏面
４    頭部
５    中部
６    底部
７    三角形の枠組
８    支柱
９    連結柱
１０    中柱
１１    短い中柱
１２    短い縦柱
１３    吊上装置
１４    ハンガ−
１５    滑車
１６    ロープ
１７    巻取機
１８    歩行訓練機
１９    歩行床
２０    手すり
２１    安全ベルト
２２    腰ベルト
【図１】
0003169175.tif 000003
【図２】
0003169175.tif 000004
【図３】
0003169175.tif 000005
【図４】
0003169175.tif 000006